(57)【要約】【課題】  記録媒体の整理、整頓が容易になるプリントを作製できる、プリント装置およびプリント方法を提供する。【解決手段】  プリント装置１０は、ＣＤ−Ｒ３８に記録すべき画像データを記憶する記憶装置３４を含む。画像選択指令に基づいて、記憶装置３４に記憶された画像データの中から対応する画像データを選択し、選択された画像データに対応する選択画像６４を表示部３２に表示する。画像編集指令に基づいて、表示部３２に表示された選択画像６４を編集する。文字情報入力に基づいて、表示部３２にＣＤ−Ｒ３８の内容に関する文字情報６６を表示する。プリント指令に基づいて、表示部３２に表示された画像６４および文字情報６６が形成されたジャケットプリント９４を作製する。【選択図】        図２ 
2005070895.tif 000002
【特許請求の範囲】
【請求項１】
記録媒体に記録すべき画像データを記憶する記憶手段、
指令および文字情報を入力するための入力手段、
前記入力手段からの画像選択指令に基づいて、前記記憶手段に記憶された画像データの中から対応する画像データを選択する手段、
選択された前記画像データに対応する画像を表示する表示手段、
前記入力手段からの画像編集指令に基づいて、前記表示手段に表示された画像を編集する手段、
前記入力手段からの文字情報入力に基づいて、前記表示手段に前記記録媒体の内容に関する文字情報を表示する手段、および
前記入力手段からのプリント指令に基づいて、前記表示手段に表示された画像および文字情報が形成されたプリントを作製する手段を備える、プリント装置。
【請求項２】
記録媒体に記録すべき画像データを記憶手段に記憶しておき、
入力手段からの画像選択指令に基づいて、前記記憶手段に記憶された画像データの中から対応する画像データを選択するステップ、
選択された前記画像データに対応する画像を表示手段に表示するステップ、
前記入力手段からの画像編集指令に基づいて、前記表示手段に表示された画像を編集するステップ、
前記入力手段からの文字情報入力に基づいて、前記表示手段に前記記録媒体の内容に関する文字情報を表示するステップ、および
前記入力手段からのプリント指令に基づいて、前記表示手段に表示された画像および文字情報が形成されたプリントを作製するステップを備える、プリント方法。
【発明の詳細な説明】
【技術分野】
【０００１】
この発明は、プリント装置およびプリント方法に関し、より特定的には、プリント材料に形成すべき画像の画像データを記録媒体に記録する場合に用いられるプリント装置およびプリント方法に関する。
【背景技術】
【０００２】
近年、デジタル技術の進歩により、ラボ店（写真店）において、現像済みネガフィルムの画像をスキャナによって読み取りデジタルデータ化し、この画像データをＣＤ−Ｒ，ＭＯ等の記録媒体（画像記録メディア）に所定のファイル形式で記録して顧客に提供するというサービスが浸透しつつある。この場合、印画紙等のプリント材料に画像を形成するプリント装置において、記録媒体に画像データとして記録される画像のインデックスプリントを作製し、これを記録媒体とともにメディアケース（収納容器）に収納する。メディアケースに収納されるインデックスプリントは、記録媒体のケースジャケットとしての役割を果たす。ここで、インデックスプリントとは、インデックス画像が形成されたプリントをいい、インデックス画像とは、画像を縮小化したサムネイル画像を所定のフォーマットに従い並べて配置したものをいう。
【０００３】
記録媒体を受け取った顧客は、メディアケースにケースジャケットとして収納されるインデックスプリントを見ることで、その記録媒体にどのような画像データが記録されているか認識することができる。そして、記録媒体に記録された画像データをパソコンに取り込むことによって、種々の目的に活用することができる。
【発明の開示】
【発明が解決しようとする課題】
【０００４】
しかし、メディアケースに収納されるインデックスプリントは保存画像を一覧表示したものであるので、記録媒体を保管するときに、記録画像の撮影日時や場所、記録媒体に画像データを記録した目的等をインデックスプリントから把握することは難しく、記録媒体を整理、整頓しづらいという問題があった。
【０００５】
それゆえに、この発明の主たる目的は、記録媒体の整理、整頓が容易になるプリントを作製できる、プリント装置およびプリント方法を提供することである。
【課題を解決するための手段】
【０００６】
上述の目的を達成するために、記録媒体に記録すべき画像データを記憶する記憶手段、指令および文字情報を入力するための入力手段、入力手段からの画像選択指令に基づいて、記憶手段に記憶された画像データの中から対応する画像データを選択する手段、選択された画像データに対応する画像を表示する表示手段、入力手段からの画像編集指令に基づいて、表示手段に表示された画像を編集する手段、入力手段からの文字情報入力に基づいて、表示手段に記録媒体の内容に関する文字情報を表示する手段、および入力手段からのプリント指令に基づいて、表示手段に表示された画像および文字情報が形成されたプリントを作製する手段を備える。
【０００７】
請求項２に記載のプリント方法は、記録媒体に記録すべき画像データを記憶手段に記憶しておき、入力手段からの画像選択指令に基づいて、記憶手段に記憶された画像データの中から対応する画像データを選択するステップ、選択された画像データに対応する画像を表示手段に表示するステップ、入力手段からの画像編集指令に基づいて、表示手段に表示された画像を編集するステップ、入力手段からの文字情報入力に基づいて、表示手段に記録媒体の内容に関する文字情報を表示するステップ、および入力手段からのプリント指令に基づいて、表示手段に表示された画像および文字情報が形成されたプリントを作製するステップを備える。
【０００８】
請求項１に記載のプリント装置では、記録媒体に記録すべき画像データの中から、たとえば代表的なあるいは気に入った画像に対応する画像データが選択され、当該画像が表示手段に表示され、表示された選択画像にさらに所望の編集が施される。さらに、タイトル、記録画像の撮影日時や場所、記録媒体に画像データを記録した目的、その他のメッセージ等の文字情報が付加される。このようにして画像と文字情報とからなる合成画像が得られ、当該合成画像が形成されたプリントが作製される。
【０００９】
プリント材料に形成すべき画像の画像データを記録媒体に記録する場合、上述のようにして合成画像が形成されたプリントを当該記録媒体とともにメディアケースに収納しておけば、記録媒体の保管時に、プリントに形成された画像および文字情報から、記録媒体に記録された画像データの内容を容易に把握でき、記録媒体を整理、整頓し易くなる。
【００１０】
請求項２に記載のプリント方法についても同様である。
【発明の効果】
【００１１】
この発明によれば、プリントに形成された画像および文字情報から、記録媒体に記録された画像データの内容を容易に把握でき、記録媒体を整理、整頓し易くなる。
【発明を実施するための最良の形態】
【００１２】
以下、図面を参照して、この発明の実施の形態について説明する。
図１を参照して、この発明の一実施形態のプリント装置１０は、スキャナ部Ｐ１およびプリント部Ｐ２を備える。
【００１３】
スキャナ部Ｐ１は、ネガフィルム１２に向けて光を発する光源１４を含む。ネガフィルム１２は、搬送用ローラ１６によって搬送され、ネガマスク１８によってネガフィルム１２のコマ画像が位置決めされる。搬送用ローラ１６およびネガマスク１８は搬送ユニットであるネガキャリア２０内に一体的に組み込まれる。また、ネガキャリア２０内にはさらに、ネガフィルム１２のＤＸコードおよびコマ番号をあらわすバーコードを読み取るためのバーコードセンサ２２が設けられる。
【００１４】
光源１４とネガフィルム１２との間には、光源１４から発せられた光をネガフィルム１２に導くためのミラートンネル２４が配置される。光源１４から発せられネガフィルム１２を透過した光の光路上に、ラインセンサ等である画像センサ２６が配置される。また、ネガフィルム１２と画像センサ２６との間には、ネガフィルム１２を透過した光を画像センサ２６に結像させるためのレンズ２８が配置される。
【００１５】
画像センサ２６に結像された光は、デジタルデータである画像データとして出力され、スキャナ部Ｐ１およびプリント部Ｐ２を統括的に制御するコントローラ３０に入力される。また、コントローラ３０には、バーコードセンサ２２で読み取られたバーコードの情報（バーコードデータ）も入力される。
【００１６】
なお、スキャナ部Ｐ１の他に図示しないデータ読み取り装置によって、たとえばデジタルカメラに用いられる記録媒体より画像データおよび画像番号データを読み取ってコントローラ３０に入力してもよい。
【００１７】
コントローラ３０は、ＣＰＵバス（図示せず）で相互に接続されたＣＰＵ３０ａ、ＲＯＭ３０ｂおよびＲＡＭ３０ｃを含む。また、コントローラ３０には、モニタ等の表示部３２、ハードディスクドライブ（ＨＤＤ：ハードディスクを含む）等の記憶装置３４、オペレータによる種々の指令や入力を行うキーボードやマウス等の入力部３６、および記録媒体であるＣＤ−Ｒ３８に画像データ等を記録するＣＤ−Ｒ書き込み装置４０が接続される。表示部３２には、プリント装置１０の操作を容易にするＧＵＩ（Graphical User Interface）や印画紙４２に形成すべき画像などが表示される。
【００１８】
ＣＰＵ３０ａは、ＲＯＭ３０ｂや記憶装置３４に記憶された各種のプログラムを実行し、データを処理し、プリント装置１０内の各構成要素に指示を与え、プリント装置１０の動作を制御する。
【００１９】
ＲＯＭ３０ｂは、起動用プログラム等を記憶している。起動用プログラムは、プリント装置１０の電源投入時にＣＰＵ３０ａによって実行される。これによって、記憶装置３４に記録されているオペレーティングシステム（ＯＳ）、プリント作製プログラム等のプログラムがＲＡＭ３０ｃにロードされ、各種の処理や制御が実行可能となる。
【００２０】
ＲＡＭ３０ｃには、プリント装置１０を制御するプログラム等が展開され、プログラムによる処理結果、処理のための一時データ、表示部３２の画面上に情報を表示するための表示用データ（テキストデータ、画像データ等）等を保持し、ＣＰＵ３０ａの作業領域として使用される。ＲＡＭ３０ｃ上に展開された表示用データは、表示部３２に伝達され、表示部３２は、その画面上に表示用データに対応する表示内容（テキスト、画像等）を表示する。
【００２１】
ＣＰＵ３０ａの指示に従って、記憶装置３４に対してプログラム、制御用データ、テキストデータ、画像データ等が記録されあるいは読み出される。この実施形態では、記憶装置３４内に、プリント装置１０の動作のためのプログラムやプリント作製プログラム、背景画面用テンプレート、インデックス画像用テンプレート等が格納される。また、記憶装置３４には、スキャナ部Ｐ１よりコントローラ３０に入力された画像データおよびバーコードデータが記録される。このとき画像データは、コマごとに切り出され、それぞれにオーダー情報およびバーコードデータから得た対応するコマ番号に基づくファイル名が付けられている。なお、データ読み取り装置によりコントローラ３０に入力された画像データおよび画像番号データも記憶装置３４に記録される。このとき画像データは、コマごとに切り出され、それぞれにオーダー情報および画像番号データに対応する画像番号に基づくファイル名が付けられている。オーダー情報とは、ラボ店が顧客を識別するためのオーダー番号等の情報である。
【００２２】
ＣＤ−Ｒ書き込み装置４０は、記憶装置３４に記憶される画像データを所定のファイル形式でＣＤ−Ｒ３８に書き込むために用いられる。ファイル形式としては、ＪＰＥＧ、ＧＩＦ、ビットマップ等が挙げられるが、特定のファイル形式に限定されるものではない。
プリント部Ｐ２は、プリント材料である長尺の印画紙４２が収納されるペーパーマガジン４４を含む。ペーパーマガジン４４に収納される印画紙４２は所定の経路に沿って引き出され、図示しないカッタによって適宜のサイズにカットされ、カット済みの印画紙４２が搬送用ローラ４６によって搬送される。搬送用ローラ４６は駆動モータ４８によって回転駆動され、駆動モータ４８はコントローラ３０によって制御される。
【００２３】
また、カット済みの印画紙４２の搬送経路上には、デジタル露光ヘッド５０が配置される。デジタル露光ヘッド５０は、コントローラ３０から入力される画像データに基づく画像を印画紙４２の表面に露光し、画像（潜像）を形成する。デジタル露光ヘッド５０には、たとえば蛍光プリンタ、ＰＬＺＴ式プリンタまたはＣＲＴプリンタ等のヘッドが用いられる。
【００２４】
このように表面に露光された印画紙４２は、現像処理部５２で現像処理され、乾燥部５４で乾燥され、排出される。
【００２５】
このようなプリント装置１０において注目すべきは、記憶装置３４に記憶されている画像データをＣＤ−Ｒ３８に記録する場合、インデックスプリントだけではなくジャケットプリントをも作製できることである。ジャケットプリントとは、ジャケット画像が形成されたプリントをいい、ジャケット画像とは、ＣＤ−Ｒ３８等の記録媒体の内容に関する画像をいう。
【００２６】
ジャケット画像は、図２に示すように、表示部３２に表示されるジャケットプリント編集画面５６において作成される。
【００２７】
ジャケットプリント編集画面５６内の画像表示エリア５８にジャケット画像６０が表示され、この実施形態では、ジャケット画像６０は、背景画像６２と選択画像６４と文字情報６６と印字枠６６ａとラボ店などのロゴマーク６７とを合成した画像である。なお、選択画像６４として複数の画像を選択でき、この実施形態では、２つの選択画像６４ａ，６４ｂが選択されている。また、文字情報６６として、タイトル、記録画像の撮影日時や場所、記録媒体に画像データを記録した目的、その他のメッセージ等を表示することができる。
【００２８】
また、ジャケットプリント編集画面５６内の右側には、ジャケット画像６０の表示サイズを設定するための表示サイズアイコン６８、文字サイズを設定するための文字サイズボタン７０、文字入力のための文字入力ボタン７２、フォントを設定するためのフォントボタン７４、フォントの色を設定するための色ボタン７６、印字枠６６ａを表示するか否かを切り替えるための切り替えボタン７８、背景画像６２を設定するための背景設定ボタン８０、選択画像６４を縮小，拡大するための縮小ボタン８２ａ，拡大ボタン８２ｂ、選択画像６４を回転するための回転アイコン８４、選択画像６４をトリミングするためのトリミングボタン８６、画像を選択するための画像選択ボタン８８、編集内容を確定しプリントを実行するためのＯＫボタン９０、および編集内容をキャンセルするためのキャンセルボタン９２が設けられる。なお、画像および文字の編集機能は上述のものに限定されない。
【００２９】
ジャケットプリント編集画面５６内に表示されるジャケット画像６０が形成されたジャケットプリント９４の一例を図３に示す。
【００３０】
また、図４に、インデックスプリント９６の一例を示す。この実施形態では、インデックスプリント９６に形成されるインデックス画像９８は、６つのサムネイル画像９８ａ〜９８ｆを含む。各サムネイル画像９８ａ〜９８ｆには、対応する画像データのファイル名が合成されている。
【００３１】
この実施形態では、図３に示すジャケットプリント９４に形成される選択画像６４ａ，６４ｂは、図４に示すサムネイル画像９８ｃ，９８ｄに対応する。
【００３２】
なお、ジャケットプリント９４およびインデックスプリント９６は、メディアケースに対応したサイズで作製され、ＣＤ−Ｒ３８の場合には、１２０ｍｍ×１２０ｍｍのサイズで作製される。
【００３３】
ついで、図５を参照して、プリント装置１０におけるインデックスプリント９６およびジャケットプリント９４の作製動作について説明する。
【００３４】
このプリント作製動作は、図示しないインデックスプリント設定画面において「ジャケットプリント作製」が「ＯＮ」に設定され、かつ図示しないノーマルプリントモード設定画面において「メディア出力」が「あり」に設定されている場合において、該当するオーダーのプリント処理の最後に実行される。
【００３５】
なお、ノーマルプリントモードとは、記憶装置３４に記憶されている画像データに基づくコマ画像を、たとえばＬ版サイズ（８９ｍｍ×１２７ｍｍ）等の所定サイズの印画紙４２に形成する通常のプリントモードをいい、オーダーに応じた枚数分プリントされる。また、「メディア出力」を「あり」に設定することによって、ノーマルプリント処理だけではなく、所定のタイミングで（たとえばノーマルプリント処理と並行して）、ノーマルプリントされた画像に対応する画像データがＣＤ−Ｒ３８に記録される。
【００３６】
まず、ノーマルプリント処理の最後にインデックスプリント９６およびジャケットプリント９４の作製動作を実行するために、図５に示すように、記憶装置３４からインデックスプリント９６およびジャケットプリント９４を作製するための動作プログラムが読み出され、ＲＡＭ３０ｃに展開される（ステップＳ１）。
【００３７】
そして、記憶装置３４に記憶されている画像データが読み出され、その画像データに基づいてサムネイル画像データが作成され、記憶装置３４から読み出されたテンプレートと合成されてインデックス画像データが作成され、作成されたインデックス画像データはＲＡＭ３０ｃに保持される（ステップＳ３）。
【００３８】
ついで、ジャケットプリント編集画面５６が表示部３２に表示される（ステップＳ５）。ジャケットプリント編集画面５６が表示部３２に表示された直後は、画像表示エリア５８には、所定の背景画像６２のみが表示される。背景設定ボタン８０を押し、予め記憶装置３４に記憶されている複数種類のテンプレートの中から任意のテンプレートを選択することによって、背景画像６２を設定、変更できる。
【００３９】
次に、ジャケットプリント編集画面５６上で画像選択ボタン８８を押して、記憶装置３４に記憶されている画像データの中からそのオーダー内の任意の画像データを選択すると、対応する選択画像６４が画像表示エリア５８内の背景画像６２上の所定の位置に所定の大きさで表示される（ステップＳ７）。
【００４０】
さらに、背景画像６２上に表示された選択画像６４に対して所望の編集が施される（ステップＳ９）。たとえば、縮小ボタン８２ａを押して縮小、拡大ボタン８２ｂを押して拡大、回転アイコン８４を用いて回転、トリミングボタン８６を押してトリミングの各編集処理を施すことができる。選択画像６４ａ，６４ｂは、たとえばマウスを用いて背景画像６２上で自由に移動させることができる。
【００４１】
そして、文字入力ボタン７２を押して、背景画像６２上の所望の位置にタイトルやメッセージ等の文字情報６６やロゴマーク６７が付加される（ステップＳ１１）。文字情報６６やロゴマーク６７に対しても所定の編集を施すことができ、たとえば、文字サイズアイコン７０を用いて文字サイズを設定でき、フォントボタン７４を押してフォントの種類を設定でき、色アイコン７６を押してフォントの色を設定できる。文字情報６６やロゴマーク６７は、たとえばマウスを用いて背景画像６２上で自由に移動させることができる。また、切り替えボタン７８を押すことによって印字枠６６ａを表示するか否かを切り替えることができる。
【００４２】
このようにして、ジャケットプリント編集画面５６上で確認しながら所望のジャケット画像６０が作成される。
【００４３】
そして、ＯＫボタン９０を押すことによって、背景画像６２と選択画像６４と文字情報６６とロゴマーク６７とが合成されたジャケット画像６０が確定され（ステップＳ１３）、そのジャケット画像データがＲＡＭ３０ｃに保持される。
【００４４】
ＲＡＭ３０ｃに保持されたインデックス画像データおよびジャケット画像データはデジタル露光ヘッド５０に入力され、デジタル露光ヘッド５０は、入力されたインデックス画像データに基づくインデックス画像９８およびジャケット画像データに基づくジャケット画像６０を、それぞれ、所定のサイズにカットされた印画紙４２に露光する（ステップＳ１５）。
【００４５】
インデックス画像９８が形成された印画紙４２およびジャケット画像６０が形成された印画紙４２は、現像処理部５２で現像処理され、乾燥部５４で乾燥され、インデックスプリント９６およびジャケットプリント９４として排出される（ステップＳ１７）。これらのインデックスプリント９６およびジャケットプリント９４はＣＤ−Ｒ３８とともに、メディアケースに収納される。
【００４６】
なお、ステップＳ３において、作成されたインデックス画像データは記憶装置３４に記録されてもよい。
【００４７】
また、ステップＳ７〜Ｓ１１の処理順序は図５に示す順に限定されず、画像より先に文字情報等を入力・編集してもよく、画像および文字情報等の編集を並行して行ってもよい。
【００４８】
プリント装置１０によれば、ＣＤ−Ｒ３８に記録すべき画像データの中から所望の画像データが選択されると、対応する選択画像６４がジャケットプリント編集画面５６に表示され、選択画像６４に所望の編集が施される。さらに、文字情報６６等が付加されてジャケット画像６０が得られ、当該ジャケット画像６０が形成されたジャケットプリント９４が作製される。
【００４９】
印画紙４２に形成すべき画像の画像データをＣＤ−Ｒ３８に記録する場合、上述のようにして作製されたジャケットプリント９４をＣＤ−Ｒ３８とともにメディアケースに収納しておけば、ＣＤ−Ｒ３８の保管時に、ジャケットプリント９４に形成されたジャケット画像６０から、ＣＤ−Ｒ３８に記録された画像データの内容を容易に把握できる。したがって、ＣＤ−Ｒ３８を、たとえば目的別にあるいは時系列的に整理、整頓し易くなり、ＣＤ−Ｒ３８の検索も容易となる。さらに、インデックスプリント９６とは異なりジャケットプリント９４には独創的なジャケット画像を形成できるので、それをケースに収納することによりケース自体の美感を向上できる。
【００５０】
なお、この発明は、ＣＤ−ＲにＣＤ−Ｒ書き込み装置を用いて画像データを記録する場合に限定されず、たとえば、ＭＯやＤＶＤ−Ｒ等のその他の記録媒体にそれぞれに対応するデータ書き込み装置を用いて画像データを記録する場合にも適用できる。
【００５１】
また、この発明は、アナログプリント装置や、長尺のプリント材料に連続的に画像を形成した後一旦巻き取るタイプのプリント装置にも適用することができる。
【００５２】
さらに、この発明で用いられるプリント材料は、印画紙に限定されず、布やプラスチックフィルム等であってもよい。
【図面の簡単な説明】
【００５３】
【図１】この発明の一実施形態を示すブロック図である。
【図２】表示部に表示されるジャケットプリント編集画面の一例を示す図解図である。
【図３】ジャケットプリントの一例を示す図解図である。
【図４】インデックスプリントの一例を示す図解図である。
【図５】図１の実施形態の動作の一例を示すフロー図である。
【符号の説明】
【００５４】
１０      プリント装置
３０      コントローラ
３２      表示部
３４      記憶装置
３６      入力部
３８      ＣＤ−Ｒ
４０      ＣＤ−Ｒ書き込み装置
４２      印画紙
５０      デジタル露光ヘッド
５６      ジャケットプリント編集画面
６０      ジャケット画像   
６４，６４ａ，６４ｂ      選択画像
６６      文字情報
９４      ジャケットプリント
９６      インデックスプリント
【図１】
2005070895.tif 000003
【図２】
2005070895.tif 000004
【図３】
2005070895.tif 000005
【図４】
2005070895.tif 000006
【図５】
2005070895.tif 000007